(57)【要約】保護下着は、使用者の臀部および脚部領域に適合するよう形作られた、耐流体性材料でできた外部層と、外部層に接続された細長い吊り部の材料とを含む。吊り部の第１の端では、吊り部の両側が内側に曲げられてともに接合され、流体吸収性パッドの一端を保持するための第１のポケット部を形成する。吊り部の第１の端と外部層との間に折返しが接続される。吊り部の第２の端は外部層へ接続され、吊り部の第１および第２の端間の吊り部の中間部分は、流体吸収性パッドの反対側の端を保持するための第２のポケット部を設ける３層の材料を提供するよう、長手方向にＳ字型に折り畳まれる。
2004538377.tif 000002
【特許請求の範囲】
【請求項１】
保護下着であって、
使用者の臀部および脚部領域に適合するよう形作られた、耐流体性材料でできた外部層と、
外部層に接続された細長い吊り部の材料とを含み、
吊り部の第１の端では、吊り部の両側が内側に曲げられてともに接合され、流体吸収性パッドの一端を保持するための第１のポケット部を形成し、吊り部の第１の端と外部層との間に折返しが接続され、吊り部の第２の端は外部層へ接続され、吊り部の第１および第２の端間の吊り部の中間部分は、流体吸収性パッドの反対側の端を保持するための第２のポケット部を設ける３層の材料を提供するよう、長手方向にＳ字型に折り畳まれている、保護下着。
【請求項２】
吊り部のＳ字型の中間部分の材料の第１の折返しはパッドの端を保持し、材料の第２の折返しは弾性材で覆われて、第２のポケット部をパッドへ曲げてぴったりフィットさせる、請求項１に記載の保護下着。
【発明の詳細な説明】
【技術分野】
【０００１】
関連出願
この出願は、１９９９年２月２５日提出の米国仮出願連続番号第６０／１２１，９６０号の恩典を主張する２０００年２月２４日提出の出願連続番号第０９／５１２，０８５号の一部継続であり、それらの内容は双方ともここに引用により援用される。
【０００２】
発明の分野
この発明は一般に保護下着に関し、より特定的には、新規な体液封じ込めおよび糞便収集構造を有する、または組込んだ再使用可能な下着に関する。
【背景技術】
【０００３】
発明の背景
保護下着の流体および糞便封じ込め特性を向上させるため、フレデリーカ・コーツ（Fredrica Coates）へ発行された２件の米国特許は、その前端および後端が接続片を介して外側の殻部（shell）へ結合された防水性または耐水性の吊り部（sling）を有する保護下着を記載している（特許文献１、２参照）。この吊り部は、吊り部または吊り部の両側に取付けられた防水性のひだの外周縁上に伸縮材を実装することにより、体液が殻部の外部領域へ広がらないよう隔離する。伸縮性があり、ひだの付いた吊り部設計は効果的であるが、この構造において含有可能な流体の量は制限される。
【０００４】
一改良として、フレデリーカ・コーツへ発行された他の米国特許では、吊り部は、より深いポケットと、衣類を着用者へ保持するのにより優れた調節可能性を持つ留め具とを形成するよう向上されている（特許文献３参照）。しかしながら、フィット性が改良され、内側のポケット付き吊り部がより深くなってはいるものの、流体および糞便封じ込め用のより大きな周辺区域に対する必要性は依然として残っている。このため、この特許ではさらに、流体吸収性パッドを保持するためのポケット付き吊り部が開示されている。そして、１９９７年１月３１日提出のコーツ出願は、周辺区域およびそれによる流体吸収の向上のため接続前方片へ付加された前方隠しポケットを開示している（特許文献４参照）。
【特許文献１】
米国特許第５，１３７，５２６号
【特許文献２】
米国特許第５，４０９，４７６号
【特許文献３】
米国特許第５，７２２，１２７号
【特許文献４】
米国出願番号第０８／７９２，７３５号
【発明の開示】
【発明が解決しようとする課題】
【０００５】
しかしながら、流体封じ込め用の周辺区域を増加させるための代替的な装置に対する必要性は引続き存在する。また、体液封じ込め構造を従来の下着に見えるものの内部に提供することが好ましく、特に大人の着用者にとっては望ましい。
【０００６】
美的魅力を有する下着を保ちつつ封じ込めを提供する、夜尿症患者または大人向けのより効果的な保護下着および衣類に対する必要性は引続き存在している。衣類に縫い付けられた、もしくは熱封止された先行装置は使い心地が悪く、または、組立て中に用いられる縫い針によって穴が形成される衣類中の場所で漏れやすい。
【発明を実施するための最良の形態】
【０００７】
図１Ａ−１Ｈを参照すると、概して数字１０により示される、この発明の一実施例に従った再使用可能なおむつは、防水性または耐水性（通気性のある種類の生地）のおむつ殻部（外殻部）１２を含み、その中には液体封じ込めポケット５０が保持され、子供または大人によって着用された場合に股間のまわりに配置されるよう位置付けられている。図１Ａを参照すると、おむつは３層、つまり、防水性または耐水性の外殻部１２、一般に肌触りが柔らかく、任意に流体吸収性生地でできている内部ライナー１６Ａ、および、耐水性または防水性材料１３でできた流体封じ込めポケットを形成する層または繋止されたポケット付き吊り部５０から形成される。おむつ殻部の２つの外側の層１２および１６Ａは一般に同じ形状で、繋止布１６Ａは外殻部１２の内側上にあり、それと整列されている。このライナー１６Ａは縫合線２１７で取付機構を形成し、ポケット付き吊り部５０を殻部１２へ繋止する。外殻部１２およびその内部ライナー１６Ａは、２つの層を巻込んで線２０で縫合され、２層をともに保持して脚穴２２を形成する脚用伸縮性細片２１８によって、脚穴で接合される。内部のポケット付き吊り部は中央で内部ライナー１６Ａのみに位置付けられ、取付けられる（縫合される）。このため、縫い目は殻部１２を貫通しない。
【０００８】
殻部１２は、おむつ１０の外部前方表面へ取付けられた、ループ型の糸状材料でできた留め具２４を有する。おむつ１０の外側の角の後部には、留め具２６が、フック型の糸状材料３０がループ材料２８上へ閉じて洗濯中に糸屑がフック材料に溜まらないようにするよう、おむつ１０に付けられており、フック材料とループ材料とはヒンジを形成する空間２６によって互いに分けられている。伸縮性細片３２は、ギャザー３４を介して着用者のウエストおよび臀部領域にフィットするよう、層を適合させる。
【０００９】
縫合線２４２は、熱封止によって置き換えられてもよいが、ポケットの角を組立てる。この組立てはまた、角２１を裏面へ内に折込み、次に封止して内部縫い目を設けることによって達成されてもよい。
【００１０】
伸縮性細片２１８で内部層１６へ接続された外部層１２の断面図である図１Ａを参照すると、縫合線２１７はポケット５０を内部ライナー１６Ａへ結合する。伸縮性トリム２４０は、流体を流体吸収性パッド（図示せず）に受けるよう開いている調節可能なポケットを形成する。縫合線２４２は前述のようにポケット５０の角を接続し、ポケットは伸縮性細片２４０により境界付けられ、着用者に接触する滑らかな仕上げの表面２４２を提示する。
【００１１】
図１Ｂは図１Ａに類似しているが、殻部１２の外部表面上に位置付けられたループ型の糸状材料２４の存在を示している。ループ材料２４は、図１に示すフックタブ３０が衣類の前面上へ閉じた場合に、着用者に衣類を留め付ける。
【００１２】
図１Ｃ−１Ｈは、３層の生地を一体として漏れない下着内部を形成する構成方法を示す。図１Ｃでは、繋止されたポケット５０の製造における第１のステップとして、一片の繋止布１６が同様に構成された外殻部１２の上部に位置付けられる。図１Ｄでは、縫合線２１７が布１６を矩形パターンに貫通しており、ポケット５０を現在中央で縫合されているその繋止布へ保持するように付いている。角２１が除去されるため、材料１３の縁または側はポケット形状５０の形を取り、側は２４２で封止される。また、これに代えて、ポケットは４２Ａおよび４２Ｂで角を前送りすることによって形を取ってもよく、折り畳まれたカバー２１Ａはしたがって除去されない。
【００１３】
図１Ｅでは、図１Ｄに示す２１Ａで三角形の角を除去することによって、衣類において嵩が有利に減少している。図１Ｆでは、５０Ｂでのさらなる一片の生地が、一次ポケット５０の縫合線２１７の上を覆うように、縫合線２１７Ａでポケット５０に任意に付加される（防水または吸収用）。
【００１４】
図１Ｇでは、ポケット５０はここでは、ポケットの側面が適正に形作られ続けるように２４２で縫合、接合または熱封止されて、伸縮材２４０がポケットの縁を巻込んだ状態で形成されている。
【００１５】
図１Ｈでは、３つの層はここでは、縫合線２１７Ｂで接合されるよう位置づけられている。層は、図１、１Ａおよび１Ｂに見られるように、衣類をその留め具および脚穴伸縮性細片へ組立てるために、ともに保持される。
【００１６】
ここでこの発明の別の実施例を示す図２を参照すると、図１の実施例と比べ、外殻部は同じであるが、吊り部構成は異なっている。図２では、おむつ１０はここでも３つの層、つまり、耐水性材料でできた外部層１２、耐水性ではない内部層１６、および、耐水性材料でできたポケット付き吊り部６８を形成するよう折返された内部生地７２から構成されている。矩形のポケット付き吊り部６８は端の折返し６０および６１で折り畳まれた生地７２を有し、後端折返し６０は生地７２の外周縁８０を内側へ折り畳むことによって形成され、折り畳み部分の２つの未処理の縁は伸縮性細片６２内へ挿入されている。伸縮性細片６２は前方折返しポケット６１へ長手方向に延びており、そこでは別の折り畳まれた縁６１Ａが外部ポケット縁７１と縫い目線７１Ａで接合している。未処理の縁７１が折返しの内側の縫い目線７１で未処理の縁６１Ｂと接合しているため、前方ポケット６１は折返しから形成される。折返しポケット６０は伸縮材内で折り畳まれた縁同士を結合することによっておむつの後部に形成され、一方、前方折返しポケット６１では、伸縮材６２が縁７１を覆い、それらはともに、形成された折返しポケットの内側の縫い目線７１で、折り畳まれた縁６１Ｂへ接合される。仕上げられた縁は伸縮材６２というよりもむしろ縫い目線７１によって形成されるため、伸縮材は７１の下側で任意に省略されてもよい。後方折返しの外側の角は縫合線６２Ａで縫い止められてもよい。ポケット付き吊り部６８全体はおむつ１０の中央部の繋止布１６へ縫合線７０で取付けられ、それは折返されたポケット付き吊り部６８のその繋止布１６への安定化した矩形取付けを形成する。脚穴２２および留め具２４、２６は、図１に示したものと同一である。
【００１７】
ポケット６８の断面図である図２Ａを参照すると、外部層１２は伸縮性トリム２１８で内部層１６に接続されており、２０でのジグザグまたは直線縫いによってしっかりと保持されている。ポケット６８の生地７２の側壁が外縁８０で縫合線７０の点へと曲がって、折返しポケット６０が形成される。
【００１８】
製造はまず、図２Ｂに示すように、布１６を防水布１２の上に、そのライナーとして重ねることによって実行される。図２Ｃでは、ライナー１６および生地片７２は７０で砂時計の形に繋止布１６へ縫合される。防水性生地片７２の両端は８０でかがり縫いされる。
【００１９】
図２Ｄは、内側へ折り畳まれて折返し６０を形成し、後ろ側へ折り畳まれて折返し６１を形成する両端を示す。折返し６０では、折り畳まれた側同士が出合って伸縮性細片６２に包み込まれ、生地７２の壁を内側へ曲げる。折返しの反対側の端は、折返し６１の端８０が後ろ側へ折り畳まれるため、異なる態様で形成され、２つの未処理の縁６１Ｂおよび７１Ａは伸縮性細片６２内に包み込まれる。
【００２０】
図２Ｅでは、折返しは裏返され、縫い目６１は生地の未処理の縁と同一平面にされ、伸縮材はここではポケット６８の内側にある。折返し６０で伸縮材を押さえ付けるため、仮縫い６２Ａが任意に付加可能である。布１６に結合された形成されたポケット６８は、外殻部生地１２の上に重なり、保護下着の衣類としての組立ての準備が完了する。
【００２１】
図３に示すこの発明の別の実施例では、おむつ１０は２つの層で構成され、ライナー１６と殻部１２とが伸縮性細片１８で縫い目２０によって接続されている。図１の吸収するポケット付き吊り部５０は、縫い付けられた矩形片８６の形をしたベルクロ（Velcro）（Ｒ）または代替的にスナップ１２０などの任意の留め具材料を介して取外し可能である。図３Ｂでは、ベルクロ（Ｒ）留め具が繋止布１６上に線８２で取付けられており、一方、図３Ａでは、下にある取付けを露出させるため、ポケット付き吊り部５０がその繋止布から取外されて図示されている。例としては、使用のため連結された場合に図３の１２０内に整合されるスナップ１２１、または、８２で縫合された相補的なベルクロ（Ｒ）細片８６と連結するため８４で縫合されたベルクロ（Ｒ）留め付け細片６６がある。
【００２２】
図３Ｃ−３Ｆは、ポケット付き吊り部をその繋止布から取外し可能とするための留め付け手段の任意の配置を示す。図３Ｃは殻部１２の上に横たわる４つの雄スナップ１２０の取付けを示し、図３Ｄは対応する雌ストラップ１２１を有するポケット片５０を示し、図３Ｅは布１２の上に横たわる繋止布１６上に取付けられたベルクロ（Ｒ）ループ材料を示す。そして図３Ｆでは、取付けが縫合である図１に示すようなポケットが十分に形成された場合に、６６で縫合されたフック留め具細片８４が矩形の部材８６と連結されて、ポケット５０が形成される。
【００２３】
図４に示す別の実施例では、おむつ１０は２層の生地、つまり殻部１２の上に横たわる内部層で構成される。図１−３で説明したポケット付き吊り部装置はここでは、繋止布１６の一方の側に位置付けられた生地の細片６４Ａ、６６Ａ、６７Ａでライナー布１６へ繋止されており、反対側では、繋止細片６４Ｂ、６６Ｂおよび６７Ｂがポケットを保持し安定化するよう位置付けられている。この図では、繋止細片は各々、繋止布１６に仮縫いされている。つまり、６４Ａは６２Ｃで、６６Ａは６６Ｃで、６７Ａは６７Ｃで、６４Ｂは６４Ｃで、６６Ｂは６６Ｃで、および６７Ｂは６７Ｃで仮縫いされている。ポケット付き吊り部６８の安定化における第１のステップとして、図４Ａは繋止布１６への仮縫いを示し、図４Ｂでは、ポケットが形成される際に、細片は各々、伸縮性細片６２へと内側に曲がる。図２と同様、伸縮性細片６２は折返し６０では露出されているが、折返し６１では露出されていない。このため、細片６４Ａおよび６４Ｂは一方の端で伸縮材６２に挿入され、反対側の端では、伸縮材６２が折返し６１の下側にある状態で縫い目６１Ｂに挿入され、縫い目をともに保持する。
【００２４】
図５に示された別の実施例では、前述の実施例の（繋止）ライナー布１６はここでは、保護下着おむつの防水性または耐流体性を有する最も外側の表面である１６Ａとなり、それに、防水性または耐水性材料でできたポケット付き吊り部５００が、側方の縫い目１０２がともに接合される前に安定化される。この材料１６Ａはまた、伝統的な女性用パンティーまたは男性用ジョッキーパンツの材料と同様、非防水性または非耐流体性の材料でもあり得る。
【００２５】
図５をなお参照すると、好ましくは三角形の繋止折返し１６０が外側材料１６Ａに取付けられている。この折返し１６０は防水性衣類またはパンティー生地１６Ａに三角形の縫い目パターン１６２で保持される。三角形の折返し１６０の最も幅が広い端で、ポケット付き吊り部５００が縫い目線１６３でかがり仕上げ縫いによって取付けられる。これは吊り部５００の下側または上側で縫合されてもよい。脚穴２２は伸縮材１１８によって覆われている。伸縮性細片５が衣類１１の前方および後方の縁を仕上げる。
【００２６】
衣類の後部では、ポケット付き吊り部５００は、ポケット５００の両側の縫い目１７０Ａ、１７０Ｂで安定化される。縫い目は防水性吊り部５００を殻部１６Ａへ繋止する。結果として生じる設計は、衣類の後部での防護を必要とする着用者にとって最も有利である。
【００２７】
図５では、ポケット付き吊り部５００の前方の側壁１０４Ａ、１０４Ｂが縫い目１０４で合わさって、前方ポケット部１０５を形成する。ポケット付き吊り部５００を形成するこのプロセスは図５Ａおよび５Ｂにおいて見られる。図５Ａでは、吊り部５００の形状は、側１０４Ａおよび１０４Ｂが内側に、中央へ折り畳まれて図５Ｂの縫い目１０４で接合されて形成される。ポケット付き吊り部５００が恥骨部のまわりで伸縮性を有するようにするため、伸縮性細片４００が着用者の股間にフィットするよう適用される。ポケット付き吊り部５００の後方ポケット部４２は、矩形の生地片の向かい合う平行な側のノッチ４０３Ａおよび４０３Ｂでの矩形の生地片折り畳み部分として形成される。線４０３Ａ−４０３Ｂによって規定される折り畳み部分は、折り畳み部分が上縫いされる場合、永続的な折り目線４１となる。折り目線４１はまた、かがり縫いであってもよい。折り目線４１が一旦、図５Ａの矢印によって示されるように、ノッチ４０４Ａおよび４０４Ｂへ内側に（図では上側に）折り畳まれると、上縫い１７０Ａおよび１７０Ｂがポケット部４２の外側をともに保持する。図５に示すように、流体吸収性パッド１８はここでは、隠された流体密封性のポケット部４２によって衣類の後部で保持されてもよい。形成されたポケット部４２がパッド１９の一端を保持する際に、そのカップ状になる作用を向上させるために、伸縮材４０を適用してもよい。なぜなら、パッドはパッドの端のまわりを包まれて単一厚さの生地の第１の層の上にあり、生地の第２の層となっているためである。ポケット４２の残りは、後ろ側に折り畳まれて衣類に取付けられた生地の第３の層によって懸架され、ポケット付き吊り部５００の長手方向における断面において連続するＳ字型の生地構成を設けている。生地の第３の層は、流体密封ポケットの後部を懸架しながら着用者の皮膚に面している。
【００２８】
図５に類似した構造の別の実施例である図６は、構造的形成の同じ要素、つまり、パンティーおよびポケット付き吊り部用繋止布の双方として形成される最も外側の表面層１６Ａ、衣類の外側のウエスト部を仕上げるための同じ伸縮材５、および、縫合されると保護パンティー１１を形成する側方縫い目１０２を取入れている。図６の繋止されたポケットは、ここではそれぞれ縫合線１６３および１６３Ａで１６Ａへ中央に縫合された、それぞれ前方部および後方部にある中央接続片１６０および１６０Ａを保持している。繋止細片６２０は脚穴伸縮材１８の中央部で脚穴伸縮材１８の両側に挿入され、次にポケット伸縮材４００Ａの伸縮材に接続または挿入される。衣類細片６２０の製造は、まずポケット伸縮材４０に挿入され、次にパンティーの中央部に取付けられる（伸縮材１８の上部にわたって縫合される）ことにより、逆の順序の組立てであってもよい。これらの接続片６２０は、ポケット５０２の流体吸収または含有区域を貫通せずにポケット５０２を繋止する。接続片は両端でポケット５０２を中央に懸架する。ポケット５０２は両端でかがり縫い１０８によって接続される。伸縮材１８が脚穴を仕上げる。伸縮材４００Ａは縫い目１０４および縫い目１０８内で終了し、ポケットの最も外側の縁はかがり縫い１６２によって仕上げられる。
【００２９】
図６Ａでは、ポケット５０２は側方繋止細片６２０の取付けを示している。
【００３０】
図６Ｂでは、中央繋止片６２０はここでは伸縮材４００Ａに包み込まれている。
【００３１】
図７には、繋止されたポケット吊り部のさらに別の実施例がある。この実施例は図１と同一であるが、ポケット付き構造が繋止布１６Ａの下に取付けられ、懸架され、したがってポケット５０が殻部１２Ａと繋止布１６Ａとの間にある点が異なる。
【００３２】
図７はまた、着用のために衣類の側方をともに留め付けるための側方スナップ留め具も示している。側方スナップ留め具１００、１０２は、以前の図面で示されたベルクロ（Ｒ）留め具の代替として、この衣類に使用されている。
【００３３】
ウエスト伸縮材１１０も、伸縮材が幅広くてそれを覆う生地を必要とする場合に着用者の皮膚を保護するように、繋止布１６Ａの下に位置付けられている。衣類の最も外側の縁で、かがり縫い１０５が１６Ａを外殻部１２Ａと接続する。
【００３４】
図７Ｂでは、下側において、点線は、図１のポケット５０と同じ構造の現在懸架され浮遊しているポケット５０を表わす。それは、周囲縁１３が伸縮材４０で繋止布１６Ａへ接合することによって懸架された隠しポケットである。側方縫い目４２は図１と同様に接合されるが、ポケットの基部が浮いているため、この実施例では縫合線１７は必要ない。この特徴はポケットの防水特性をさらに高める。
【００３５】
図７Ａでは、ポケット５０は繋止布１６Ａと殻部１２Ａとの間に懸架されている。伸縮材４０がポケット周囲縁を繋止布の円形の縁と保持している。
【００３６】
埋もれたポケット設計の製造の別の図である図７Ｂでは、繋止布１６Ａは殻部１２Ａの上に横たわっている。
【００３７】
図８では、図７の埋もれたポケット構造が、男性用ボクサーショーツ２２に適用されている。埋もれたポケット５０は、縫合された角４２を有し、伸縮材１８により両側で保持された繋止布１６Ａと防水片１２Ａとの間に懸架された埋もれたポケット５０を含む、図６に開示されたこの発明の原理を含んでいる。この発明のこの変形への追加は、ボクサーショーツ２２の後部で保護吊り部を安定化する繋止細片５２である。ボクサーショーツ２２は、伸縮性のあるウエスト１１０と、ボクサーパンツ２２の中央前方内側部分へ縫い目１１８で保持された埋もれたポケット５０を有する吊り部装置とを有する。
【００３８】
図９では、図６、７、および８の埋もれたポケットは同じであるが、図示されているように、この発明のすべての原理が適用されているベルト付き下着１４として、着用者へ留め付けるために、ボタン１１４を有するベルト１０６がボタンホール１０４と結合する。ボタンホール１０４は殻部１２Ａおよび繋止布１６Ａの双方を縫い目で貫通する。折り畳まれた縁１２Ｂは下着の部分を仕上げる。
【００３９】
図１０では、図５と同様に、懸架されたポケット付き吊り部があるが、このボクサー型衣類では、図５のポケット付き吊り部は男性解剖学にフィットするよう適合されてきた。このボクサーショーツ衣類については、男性用ボクサーショーツ衣類１５は、ウエストラインに伸縮材１１が縫い付けられてパンツを着用者の身体に保持する伝統的なボクサーパンツ下着に見える。ポケット付き吊り部１９はショーツ１５の中央後ろにおいて１４Ａで伸縮材１１の下に、または伸縮材１１へ縫合される。ポケット付き吊り部の前方部は４９で中央に置かれ、伸縮材１１へ、またはその下へ取付けられる。
【００４０】
図１０Ａは、ポケット付き吊り部装置のボクサーバージョンを作り出す上での第１のステップを示す。図５の折り目線４１はここでは、ポケット付き吊り部構造の前方および後方ポケット双方についての折り目線となっている。図５と同様、折り目線４１はノッチ４１Ｂへ内側に折り畳まれ、３層の厚さを作り出す。前端および後端での折り畳み部分は、深さが互いに同一であってもよく、または図示されるように深さが異なっていてもよい。
【００４１】
図１０Ｂでは、ポケット４２が衣類の前方および後方部分の双方に形成されている。折り目線４１は伸縮材４０で覆われている。
【００４２】
図１０Ｃでは、図示されているように、ポケット付き吊り部１９の向かい合う側壁が伸縮材４４を受けて、男性解剖学により良好にフィットするように、吊り部の前方部分全体を窪みにし、カップ状にする。１７０での縫い目は、Ｓ字型に折り畳まれた３層の生地構造をともに底部ポケット４２で保持する。伸縮材４４はまた、ポケットの上部折り畳み部分で、Ｓ字型に折り畳まれた３層の生地ポケット４２構造をともに保持し安定化する目的も果たしている。
【００４３】
図１０Ｄは、縫い目縁１１Ａが、防水性または非防水性材料でできたポケット付き吊り部１９の後部末端の縫い目縁１１へ接合されるよう接続している際のポケット付き吊り部１９の図である。片２０は理想的にはストレッチ材料でできており、より大きなボクサーショーツ用により長い長さを有するように作られるボクサーショーツへの接続片としてできている。このため、片２０を伸長させるだけで、同じポケット付き吊り部装置を多くの異なるサイズのボクサーショーツに適応させることができる。
【００４４】
１０Ｅでは、ポケット付き吊り部１９は１１および１１Ａで取付けられ、次に前方内部ウエストバンド１１のノッチ４９Ｂおよび４７Ａと、中央後部取付点またはノッチ１２Ａ、１２および１２Ｂとで、ボクサー外殻部１５へ中央に取付けられる。また、これに代えて、図１０Ｆでは、生地１４がポケット付き吊り部１９の防水材料の上部に被せられ、４７で縫合され、生地１９の末端は１７でアーチ型となって、衣類の臀部領域を防水処理し、一方、上部に吸収性ストレッチ材料を提供する。縫い目４７は、縫い目１７０が図１０Ｄおよび１０Ｅのポケット１９を安定化させるのと同様に、折り畳まれた３層の生地をポケット４２の両側で安定化させる機能も果たす。その下に防水性材料がない伸長された材料片を１４で識別する。伸長された生地１４は、図１０Ｄの別個の材料片２０と同様に、異なるサイズのボクサーショーツ外部材料１５に適応するため長さが調整されてもよい。この構造も、衣類の後部において吊り部１９の側壁へ任意の仕上げかがり縫いを提供する。
【００４５】
図１０Ｇでは、図１０Ｆのポケット付き吊り部装置はここでは、図１０Ｅに関して説明したのと同じ態様で、衣類１５Ａの内部に取付けられる。
【００４６】
図１１および図１１Ａでは、図５および図１０のポケット付き吊り部が、下着に脚を通すことができず、下着の上へまたは中へ持上げられるか転がされなければならない車椅子に束縛された人々のために適合されている。保護下着衣類１００は、スナップ６８とベルクロ（Ｒ）フック型糸状材料の細片６０およびループ型糸状材料の細片６２との組合せを用いて、上部に留め付けを提供し、衣類の使用者がパンツの上部に置かれた後で衣類１００の側方をともに接合する。材料１０１は好ましくはストレッチ材料であり、ウエストライン１０２はより強力なストレッチ材料でできており、接合線２２は防水性または非防水性材料１０４でできた股間区域における材料のアーチ型の接合線である。伸縮材５５は股間領域材料１０４の脚穴伸縮材であり、材料１０４の末端から、ボクサーショーツのポケット付き吊り部構造１９と類似した構造であるが、図１０のボクサーショーツの伸縮材４４が省略されている点のみが異なる、ポケット付き吊り部装置１９０が懸架されている。伸縮材４４はここではかがり縫い１７０Ｃに置き換えられている。しかしながら、図５および図１０と同様、３層に折り畳まれたポケット４２がその折り目縁を伸縮材４０で覆われた状態で見られる。第１の層部分はここでは４５で伸縮材で覆われているが、３層の材料の折り畳み部分が衣類の前方および後方部分双方での平行な縫い目１７０Ｃで接合しているところで止まっている。
【００４７】
図１１Ｂは、折り目線４１が両側および両端でノッチ４１Ｂへ折り畳まれ、図１１Ｃで３層の材料のポケットを形成し、折り目線４１が伸縮材４０で覆われた場合のポケット付き吊り部１９０を形成する際の第１のステップを示している。図１１Ｄでは、この単一層の生地部分は伸縮材４５によって覆われ、２層の折り畳み部分が単一層の材料に接合する点で、かがり縫い１７０が縁を仕上げて３層の材料を所定の位置に保持する。ポケット４２の基部、またはポケット４２の折り畳み部分の末端は縫い目がなく、このため流体のポケットからの移動を防止する。
【００４８】
図１１Ｅでは、ポケット付き吊り部１９０はアーチ状の縫い目２２Ａで接合され、材料１０４とポケット付き吊り部１９０とをともに封止する。図１１および図１１Ａに戻ると、材料縁２２Ａがここで縫合線２２において接合され、ストレッチ上部材料１０１から防水性空隙１０４およびそのポケット付き吊り部受け１９０への保護パンツ全体をともに保持する。
【図面の簡単な説明】
【００４９】
【図１】この発明の原理に従って作られ、着用される位置へと開いて示された、繋止ポケット付き吊り部を有する再使用可能なおむつの一実施例を示す斜視図である。
【図１Ａ】図１の線１Ａ−１Ａに沿った、繋止された吊り部を有するおむつの断面図である。
【図１Ｂ】図１の線１Ｂ−１Ｂに沿った、繋止された吊り部を有するおむつの断面図である。
【図１Ｃ】再使用可能なおむつの製造における第１のステップとしての、外殻部の上に横たわった繋止布を示す図である。
【図１Ｄ】取付けられたポケット吊り部を有し、ポケット付き吊り部構造の形成のため、ポケット付き吊り部の角の切取りおよびポケット付き吊り部の角の折り畳みを備えた繋止布を示す図である。
【図１Ｅ】ポケットの４つの角が除去されたポケット付き吊り部の図である。
【図１Ｆ】第２のポケットが形成され、第１の繋止されたポケットによって繋止されている二重ポケット吊り部を示す図である。
【図１Ｇ】ポケット付き吊り部の４つの角が接合され、ポケット縁が伸縮材により覆われて形成されている図である。
【図１Ｈ】殻部の上に横たわる繋止布への繋止されたポケット吊り部の組立てを示す図である。
【図２】伸長された折返しポケットを有する繋止ポケット吊り部を有するこの発明の別の実施例を示す斜視図である。
【図２Ａ】図２の線２Ａ−２Ａに沿った、繋止されたポケット付き吊り部と伸長された折返しポケットとを有する図２のおむつの断面図である。
【図２Ｂ】殻部布の上に横たわる繋止布の平面図である。
【図２Ｃ】折返しのあるポケット付き吊り部を形成するため取付けられた生地片を有する繋止布を示す図である。
【図２Ｄ】折返しのあるポケット付き吊り部のその繋止布への取付けおよび折り畳みを示す図である。
【図２Ｅ】折返しのあるポケット付き吊り部の繋止布および殻部への組立てを示す図である。
【図３】この発明に従って作られた、ポケット付き吊り部を繋止するための留め具を有するこの発明の別の実施例を示す図である。
【図３Ａ】吊り部の裏側に取付機構を有する取外し可能なポケット付き吊り部を示す図である。
【図３Ｂ】図３に示す吊り部の断面図である。
【図３Ｃ】ポケット付き吊り部構造用のスナップ取付具を有する繋止布を示す図である。
【図３Ｄ】対応するスナップ取付機構を有するポケット付き吊り部布を示す図である。
【図３Ｅ】ベルクロ（Ｒ）タイプの留め付け取付機構を有する繋止布の図である。
【図３Ｆ】対応するベルクロ（Ｒ）取付タブを有するポケット付き吊り部布を示す図である。
【図４】この発明に従って作られた、繋止された吊り部および細片繋止具の別の実施例を示す図である。
【図４Ａ】ポケットを保持するために所定の位置にある取付けられた細片を有する繋止布を示す図である。
【図４Ｂ】繋止布上の繋止細片によって保持され、殻部布の上に横たわる、取付けられたポケット吊り部を示す図である。
【図５】殻部または女性用もしくは男性用パンツに、繋止折返しおよび後方の折り畳まれた吊り部部分によって繋止されたポケット付き吊り部が付いた、この発明の別の実施例を示す図である。
【図５Ａ】図５のポケット吊り部構造を示す図である。
【図５Ｂ】前端でポケットを形成するために縫い合わされ、反対側の端で下に横たわるパンツに取付けられる後方ポケットを形成するために折り畳まれる繋止されたポケット付き吊り部の前方部分に取付けられる前方折返し繋止片の図である。
【図６】ポケット付き吊り部が衣類の前方および後方部分の双方で繋止折返しにより繋止されている、女性用または男性用パンツの別の実施例の図である。
【図６Ａ】図６のポケット付き吊り部構造の図である。
【図６Ｂ】繋止布として、繋止されたポケットに取付けられ、パンツの生地に取付けられた折返し繋止片を示す図である。
【図７】スナップを有し、この発明の原理に従って作られた埋もれたポケット吊り部を有し、着用される位置に開かれた、再使用可能なおむつの一実施例の平面図である。
【図７Ａ】図７の線７Ａ−７Ａに沿ったおむつの断面図である。
【図７Ｂ】ポケットが繋止布の下側に取付けられ、スナップ留め具を有する殻部布の上に横たわっている、埋もれたポケットを保持する繋止布を示す図である。
【図８】この発明の原理に従って組込まれ、作られた埋もれたポケット吊り部構造を有し、その側方縫い目で開かれて平たく置かれた男性用ボクサーパンツの別の実施例の平面図である。
【図９】この発明に従って作られた、埋もれたポケットを有するベルト付き下着の平面図である。
【図１０】ウエストラインで繋止されたポケット付き吊り部を有する男性用ボクサーショーツの別の図である。
【図１０Ａ】平行な折り畳み部分を有するポケット付き吊り部構造を作り出す際の第１のステップを示す図である。
【図１０Ｂ】平行で伸縮性のある折り畳み領域を有するポケット付き吊り部を作り出す製造の第２のステップを示す図である。
【図１０Ｃ】平行で伸縮性のある折り畳み領域とそれらの平行で垂直な、伸縮性のある側とを有するポケット付き吊り部を作り出す際の第３の製造ステップを示す図である。
【図１０Ｄ】調節可能な結び接続片への取付用に形成され、準備ができているポケット付き吊り部を示す図である。
【図１０Ｅ】その接続ニット生地を後ろにして形成され、ボクサーショーツの前方中央部へ繋止され、ボクサーショーツの後部へ、ボクサー生地と伸縮性ウエストバンドとの間に縫合で繋止され、衣類の前方および後方部分において繋止縫合でボクサーショーツへ組込まれたポケット付き吊り部を示す図である。
【図１０Ｆ】図１０Ｄと比較した、ポケット吊り部構造の代替的な一実施例を示す図である。
【図１０Ｇ】図１０Ｅと比較した、ポケット吊り部構造の代替的な一実施例を示す図である。
【図１１】車椅子に束縛された、または別様に無能力となった使用者に有用な一実施例に従った、ポケット付き吊り部を実現する衣類を示す図である。
【図１１Ａ】その製造ステップを示す図である。
【図１１Ｂ】その製造ステップを示す図である。
【図１１Ｃ】その製造ステップを示す図である。
【図１１Ｄ】その製造ステップを示す図である。
【図１１Ｅ】その製造ステップを示す図である。
【国際公開パンフレット】
2004538377.tif 000003
2004538377.tif 000004
2004538377.tif 000005
2004538377.tif 000006
2004538377.tif 000007
2004538377.tif 000008
2004538377.tif 000009
2004538377.tif 000010
2004538377.tif 000011
2004538377.tif 000012
2004538377.tif 000013
2004538377.tif 000014
2004538377.tif 000015
2004538377.tif 000016
2004538377.tif 000017
2004538377.tif 000018
2004538377.tif 000019
2004538377.tif 000020
2004538377.tif 000021
2004538377.tif 000022
2004538377.tif 000023
2004538377.tif 000024
2004538377.tif 000025
2004538377.tif 000026
2004538377.tif 000027
2004538377.tif 000028
2004538377.tif 000029
2004538377.tif 000030
2004538377.tif 000031
2004538377.tif 000032
2004538377.tif 000033
2004538377.tif 000034
2004538377.tif 000035
2004538377.tif 000036
2004538377.tif 000037
2004538377.tif 000038
2004538377.tif 000039
2004538377.tif 000040
2004538377.tif 000041
2004538377.tif 000042
2004538377.tif 000043
【国際調査報告】
2004538377.tif 000044